(57)【要約】【課題】本発明は、原稿載置読取時及び原稿搬送読取時において光源のＬＥＤ素子を増やすことなく対応できる画像読取装置を提供することを目的とするものである。【解決手段】光源３３は、多数のＬＥＤ素子４２がライン状に配列されて構成されており、フラットベッドプラテン３２の幅方向に設定されている。光源３３が搭載されたキャリッジ３５が原稿搬送読取のためプラテンガラス３０の方へ移動する場合、キャリッジ３５はガイドレール４３に沿って移動し、ガイドレール４３の端部４６に形成された傾斜した溝部により読取ラインの方向に所定長さだけ位置ずれして設定される。そのため、原稿載置時及び原稿搬送時において原稿の基準位置がずれている場合でもそれに対応して光源を位置決めすることができる。【選択図】図２
2010118989.tif 000002
【特許請求の範囲】
【請求項１】
複数のＬＥＤ素子を配列した光源により照射して原稿を読取ラインに沿って読み取る画像読取装置において、少なくとも前記光源を支持するキャリッジと、前記キャリッジを移動させる移動部と、原稿搬送読取時において前記キャリッジを静止読取位置に位置決めするとともに原稿載置読取時において前記キャリッジを走査させるように前記移動部を制御する制御部と、前記キャリッジを前記静止読取位置に位置決めする際に前記キャリッジを前記読取ラインの方向に所定長さだけ移動して位置決めする設定部を備えていることを特徴とする画像読取装置。
【請求項２】
前記設定部は、原稿載置読取時の原稿設置基準位置と原稿搬送読取時の原稿設置基準位置との差だけ前記キャリッジを移動させることを特徴とする請求項１に記載の画像読取装置。
【発明の詳細な説明】
【技術分野】
【０００１】
本発明は、複写機、プリンタ、ファクシミリ装置などの画像形成装置に適用可能な画像読取装置に関する。
【背景技術】
【０００２】
原稿の画像を読み取る場合、原稿を載置した状態では、キャリッジに読取部を支持してキャリッジを走査方向に移動させながら読取部が読取ラインに沿って順次読み取っていき、二次元画像データとして読み取ることが行われている。また、読取部を静止した状態で原稿を読取ラインを横切るように搬送して順次読取動作を行い、二次元画像データとして読み取ることも行われている。そして、１つの読取部により原稿搬送による読取動作及び原稿載置状態での読取動作の両方が行えるようにした画像読取装置が開発されている。
【０００３】
こうした２つの異なる読取動作を行う場合、画像の読取精度を高めるために様々な改良工夫が提案されている。例えば、特許文献１では、原稿固定読取と原稿流し読取とで原稿面の高さが異なっている場合に、原稿の画像を読み取る共用読取ユニットを案内するレールの高さをそれぞれの読取位置で変化させるように設定した画像読取装置が記載されている。また、特許文献２では、設定された読取領域に合せてＬＥＤアレイを点灯して表示するようにした画像読取装置が記載されている。
【特許文献１】特開２００５−２７７７７４号公報
【特許文献２】特開２００１−１８３７６０号公報
【発明の開示】
【発明が解決しようとする課題】
【０００４】
図５及び図６は、従来の画像読取装置１の内部構造に関する概略正面図を示しており、図５は原稿搬送時の読取動作状態を、図６は原稿載置時の読取動作状態をそれぞれ示している。画像読取装置１は、画像読取部３の上面に原稿搬送部２が設けられており、原稿搬送部２は、開閉可能なカバーとなっている。
【０００５】
原稿搬送読取時では、図５に示すように、原稿は、原稿トレイ１０に装填されて、ピックアップローラ１２、フィードローラ１３、レジストローラ１４及び排出ローラ１５により点線の太線矢印Ｍで示す搬送径路を通って排出トレイに１１に排出される。そして、レジストローラ１４の下流側に、搬送される原稿を横切るように帯状のプラテンガラス１６が配置されている。プラテンガラス１６に対向する静止読取位置に画像読取部２のキャリッジ１７が位置決めされており、キャリッジ１７の読取部（光学読取センサ等）の読取ラインがプラテンガラス１６の範囲内に設定されて搬送される原稿を読み取っていく。
【０００６】
原稿載置読取時では、図６に示すように、原稿搬送部２を開いてプラテンベッド１８の上面に点線Ｎで示すように原稿を載置する。プラテンベッド１８は、矩形状の透明なガラスからなっており、原稿全体がプラテンベッド１８に載置される。キャリッジ１７を読取開始位置から副走査方向Ｘに順次移動させながら、キャリッジ１７の読取部はプラテンベッド１８を透過して載置された原稿を読取ラインに沿って読み取っていく。
【０００７】
上述した従来の画像読取装置では、読取部を支持するキャリッジの副走査方向と直交する方向に読取ラインが設定されている。そして、読取ラインに沿う原稿領域を照射するための光源がキャリッジに搭載されている。
【０００８】
こうした光源には、キセノン又は冷陰極管といった照明装置が用いられているが、近年ＬＥＤ素子を読取ラインに沿って多数配列した光源が使用されてきている。ＬＥＤ素子を使用することで、小型化、軽量化及びコストの低減を図ることができるといったメリットがある。
【０００９】
ＬＥＤ素子をライン状に配列して光源として使用する場合、読み取る原稿のサイズに合せてラインの長さを設定する必要がある。図７は、原稿載置読取時及び原稿搬送読取時において必要となるラインの長さの説明図である。原稿載置読取時には、プラテンベッド１８の奥の角部位置（符号Ａで示す三角マークの位置）を基準に原稿を設置するため、例えば原稿サイズがＡ３判まで設定されている場合には、Ａ３判の幅（長さｄ１）を照射するラインの長さが必要となる。一方、原稿搬送読取時には、プラテンガラス１６の中心位置（符号Ｂで示す三角マークの位置）を基準に原稿トレイ１０に原稿が装填されるようになっている。そのため、Ａ３判の原稿の幅（長さｄ１）を照射するラインの位置は、原稿載置読取時とは長さｄ２だけずれた位置に設定される。
【００１０】
したがって、両方の読取動作を１つの読取部で行なう場合、ＬＥＤ素子を配列する光源の長さは、Ａ３判の幅（ｄ１）よりも大きい長さ（ｄ１＋ｄ２）を照射するように設定しなければならず、余分な長さ分（ｄ２）だけＬＥＤ素子を配列する必要がある。また、ＬＥＤ素子が増加した分だけ照射するための消費電力が増加することになる。
【００１１】
そこで、本発明は、原稿載置読取時及び原稿搬送読取時において光源のＬＥＤ素子を増やすことなく対応できる画像読取装置を提供することを目的とするものである。
【課題を解決するための手段】
【００１２】
本発明に係る画像読取装置は、複数のＬＥＤ素子を配列した光源により照射して原稿を読取ラインに沿って読み取る画像読取装置において、少なくとも前記光源を支持するキャリッジと、前記キャリッジを移動させる移動部と、原稿搬送読取時において前記キャリッジを静止読取位置に位置決めするとともに原稿載置読取時において前記キャリッジを走査させるように前記移動部を制御する制御部と、前記キャリッジを前記静止読取位置に位置決めする際に前記キャリッジを前記読取ラインの方向に所定長さだけ移動して位置決めする設定部を備えていることを特徴とする。さらに、前記設定部は、原稿載置読取時の原稿設置基準位置と原稿搬送読取時の原稿設置基準位置との差だけ前記キャリッジを移動させることを特徴とする。
【発明の効果】
【００１３】
上記のような構成を有することで、静止読取位置に位置決めする際にキャリッジを読取ラインの方向に所定長さだけ移動して位置決めするので、原稿載置読取時及び原稿搬送読取時の原稿の基準位置がずれている場合でもＬＥＤ素子を増やすことなく対応できる。したがって、読取ラインの照射に必要なＬＥＤ素子のみ配列すればよいから、余分なＬＥＤ素子が不要となって照射に必要な消費電力を節減することができる。
【発明を実施するための最良の形態】
【００１４】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１５】
図１は、本発明に係る実施形態に関する概略断面図である。原稿読取装置１は、原稿搬送部２及び原稿読取部３からなり、原稿トレイ１０にセットされた原稿搬送部２により搬入されて原稿読取部３に搬送される。そして、原稿読取部３で読み取られた原稿は、排出トレイ１１に排出される。
【００１６】
原稿搬送部２には、ピックアップローラ２１及びセパレートローラ２２が設けられており、原稿トレイ１０に載置された原稿がピックアップローラ２１により引き込まれ、セパレートローラ２２により原稿の先端が挟持される。セパレートローラ２２は、原稿を１枚ずつ搬入して、搬入された原稿の先端がフィードローラ２３及びプレスローラ２４に挟持されて搬送されるようになる。
【００１７】
そして、原稿は、さらにフィードローラ２３の外周に沿って下方に搬送されてプレスローラ２４とフィードローラ２３との間に挟持される。挟持された原稿は、フィードローラ２３の下方に近接して配設された原稿ガイド部材２５に沿って読取位置に搬送されるようになる。
【００１８】
原稿読取部３には、フィードローラ２３に対向してプラテンガラス３０が設けられている。原稿搬送部２で搬送された原稿は原稿ガイド部材２５とプラテンガラス３０との間を通過してガイド用突起３１により上向きに案内されて排出ローラ２６及びプレスローラ２７の間に挟持されるようになる。そして、排出ローラ２６により排出トレイ１１に排出される。
【００１９】
また、原稿搬送部２は、原稿カバーを兼ねており、書籍等を読み取る場合には、原稿搬送部２を上方に回動してフラットベッドプラテン３２に書籍等の被読取部分を配置する。
【００２０】
原稿読取部３の内部には、光源３３及び反射ミラー３４を搭載したキャリッジ３５が図示せぬガイドレールに沿って副走査方向に自在に移動するように設けられている。また、反射ミラー３６及び３７を搭載したキャリッジ３８も同様にガイドレールに沿って副走査方向に自在に移動するように設けられている。
【００２１】
そして、キャッリッジ３５及び３８は、ベルトを介して移動機構３９に連結されている。キャリッジ３５及び３８は、移動機構３９の駆動モータが回転駆動することによりベルトに搬送されてフラットベッドプラテン３２の下面に沿って往復移動するようになっている。そして、キャリッジ３５がフラットベッドプラテン３２に載置された原稿のサイズに応じて移動しながら、光源３３により原稿を照射して反射光を反射ミラー３４により反射させて反射ミラー３６に伝送する。
【００２２】
キャリッジ３８は、キャリッジ３５の移動に同期してその半分の距離だけ移動するようになっている。そして、反射ミラー３４から伝送された原稿からの反射光は、反射ミラー３６で反射されて反射ミラー３７に伝送され、さらに反射ミラー３７で反射される。
【００２３】
原稿読取部３の内部には、集光レンズ４０及びＣＣＤ等からなる光学読取素子４１が設けられており、反射ミラー３７で反射された原稿からの反射光は、集光レンズ４０により集光されて光学読取素子４１に結像するように設定されている。光学読取素子４１に入力された原稿からの反射光は電気信号に変換され、図示せぬ画像処理回路に送信されるようになっている。
【００２４】
キャリッジ３５及び３８の移動の際に、反射ミラー３４と反射ミラー３６との間の距離は変化するものの両者の光軸は常時一致するように移動し、原稿からの反射光は常に正確に伝送されるようになっている。
【００２５】
原稿搬送部２において搬送される原稿を読み取る場合には、キャリッジ３５及び３８をプラテンガラス３０に対向する静止読取位置に移動して（点線で表示）、静置した状態で読取動作が行なわれる。この場合には、搬送される原稿に対して光源３３により照射して反射光を反射ミラー３４、３６及び３７により光学読取素子４１に伝送する。
【００２６】
図２は、プラテンガラス３０及びフラットベッドプラテン３２の上方から見た模式図である。光源３３は、多数のＬＥＤ素子４２がライン状に配列されて構成されており、その配列方向は、キャリッジの移動方向である副走査方向と直交する方向であるフラットベッドプラテン３２の幅方向に設定されている。フラットベッドプラテン３２に載置された原稿に対してフラットベッドプラテン３２の幅方向に読取ラインが設定されており、光源３３のＬＥＤ素子４２から照射される光は読取ラインに沿って原稿に照射されて反射されるようになる。
【００２７】
キャリッジ３５及び３８は、両側に設けられた一対のガイドレール４３の溝部に両端部が摺動自在に支持されている。そして、上述した移動機構３９によりガイドレール４３に沿って往復移動するようになっている。
【００２８】
キャリッジ３５の両側の端部４４は、ガイドレール４３の上部に重なるように配設され、端部４４の下面に突設した係合突起４５がガイドレール４３の溝部に嵌合しており、溝部内を係合突起４５が摺動することで、キャリッジ３５はスムーズにガイドレール４３に沿って移動することができる。同様に、キャリッジ３８についても両側の端部に係合突起が設けられており、溝部に係合突起が嵌合してガイドレールに沿って移動するようになっている。
【００２９】
ガイドレール４３のプラテンガラス３０側の端部４６では、読取ラインの方向に所定長さだけずれるように溝部が傾斜して形成されている。
【００３０】
図３及び図４は、キャリッジ３５及び３８が静止読取位置に移動する際の状態を示す説明図である。図３では、キャリッジ３８がガイドレール４３に沿って移動し、その端部４６に到達している。そのため、ガイドレール４３に沿って移動する位置よりも読取ラインの方向に所定長さだけずれた位置に設定されている。キャリッジ３５は、ガイドレール４３に沿って移動して端部４６に到達する前であるため、読取ライン方向（主走査方向）へ位置ずれされていない。
【００３１】
図４では、キャリッジ３５が端部４６に移動して傾斜した溝部に係合突起４５が進入し、キャリッジ３５は読取ライン方向に所定長さだけずれた位置に設定される。この設定状態でキャリッジ３５及び３８は静止読取位置に位置決めされて原稿搬送読取動作が行なわれる。
【００３２】
キャリッジの読取ライン方向への位置ずれ量は、原稿載置読取時の原稿設置基準位置（フラットベッドプラテン３２の奥側角部の位置）と原稿搬送読取時の原稿設置基準位置（プラテンガラズ３０の中心位置）との間の差に同じ長さになるように設定される。
【００３３】
そのため、原稿載置読取時の読取ラインに対応して光源３３のＬＥＤ素子を配列しておけば、原稿搬送読取時の読取ラインに対応してキャリッジがずれるため、光源３３をそのまま使用することができる。したがって、光源３３のＬＥＤ素子を余分に配列する必要がなくなり、その分消費電力を抑えることができる。
【００３４】
以上説明した例では、キャリッジを読取ライン方向に所定長さだけ位置ずれさせるために、ガイドレールの溝部を傾斜して形成しているが、キャリッジを読取ライン方向に位置ずれさせることができれば、これ以外のやり方を用いてもよい。また、光源自体を所定長さだけ位置ずれするように設定すれば、従来のキャリッジの移動機構をそのまま使用することができる。
【図面の簡単な説明】
【００３５】
【図１】本発明に係る実施形態に関する概略断面図である。
【図２】プラテンガラス及びフラットベッドプラテンの上方から見た模式図である。
【図３】キャリッジが静止読取位置に移動する際の状態を示す説明図である。
【図４】キャリッジが静止読取位置に移動する際の状態を示す説明図である。
【図５】従来の画像読取装置の原稿搬送時の読取動作状態に関する概略正面図である。
【図６】従来の画像読取装置の原稿載置時の読取動作状態に関する概略正面図である。
【図７】原稿載置読取時及び原稿搬送読取時において必要となるラインの長さの説明図である。
【符号の説明】
【００３６】
１    原稿読取装置
２    原稿搬送部
３    原稿読取部
23    フィードローラ
25    原稿ガイド部材
30    プラテンガラス
32    フラットベッドプラテン
33    光源
34    反射ミラー
35    キャリッジ
36    反射ミラー
37    反射ミラー
38    キャリッジ
39    移動機構
40    集光レンズ
41    光学読取素子
42    ＬＥＤ素子
43    ガイドレール
【図１】
2010118989.tif 000003
【図２】
2010118989.tif 000004
【図３】
2010118989.tif 000005
【図４】
2010118989.tif 000006
【図５】
2010118989.tif 000007
【図６】
2010118989.tif 000008
【図７】
2010118989.tif 000009